(57)【要約】【課題】天端レベルの精度の良い基礎ばりを構築することができる基礎型枠構造を提供すること。【解決手段】一対の型枠パネル１ａ、１ａからなる型枠１を基礎スラブ６から基礎ばり予定部の両側に立ち上げる。両型枠パネル１ａ、１ａの上部途中に、その間隔を基礎ばり予定部の間隔に設定しかつ保持する間隔保持構造２を構成する。また両型枠パネル１ａ、１ａの下部を下部支持構造４で基礎ばり予定部の間隔で支持する。この下部支持構造４は両型枠パネル１ａ、１ａを各々昇降調節自在に支持する昇降調節機構４ｂを備えている。昇降調節した各型枠パネル１ａ、１ａの天端を基礎ばりの天端レベルとして均しモルタルの打設及びその均し作業を行う。【選択図】  図１
2004316135.tif 000002
【特許請求の範囲】
【請求項１】
一対の型枠パネルを基礎スラブから基礎ばり予定部の両側に立ち上げて構成する型枠であって、両型枠パネルの天端を基礎ばり天端レベルとしてコンクリートの打設を行うことができる型枠と、
該型枠の両型枠パネル間の間隔を上記基礎ばり予定部の間隔に保持する間隔保持構造であって、該両型枠パネルの上部途中に構成する間隔保持構造と、
前記型枠の両型枠パネルの下部を各々前記基礎ばり予定部の間隔で支持する下部支持構造であって、該両型枠パネルを各々昇降調節自在に支持する下部支持構造と、で構成した基礎型枠構造。
【請求項２】
前記間隔保持構造を、前記両型枠パネルの内側に当接状態に配した二つのＰコンと、該両Ｐコンをその両端で螺合させつつ該両型枠パネルに貫通突出させてその間隔を内側から規制するセパレータと、前記両型枠パネルの外側面で各々該セパレータの外端に配して前記両型枠パネルを内側に押し付け、その間隔を外側から規制する外部規制部材と、で構成した請求項１の基礎型枠構造。
【請求項３】
前記下部支持構造を、前記基礎スラブ上に前記基礎ばり予定部の間隔及び両側の型枠パネルの厚さを合算した間隔で固設した両側の根巻き補助部材と、該両根巻き補助部材から立ち上げた昇降調節機構と、該昇降調節機構の受台で支持される木製載置片であって、前記型枠パネルの外側下部に固定された木製載置片と、で構成した請求項１又は２の基礎型枠構造。
【請求項４】
前記昇降調節機構を、前記根巻き補助部材に固設する台座と、該台座にこれに開口したビス通過穴を中心にして立ち上げ固設したナット部材と、該ナット部材に昇降調節自在に螺合する中空ボルト部材と、該中空ボルト部材の上端に固設した受台であって、該中空ボルトの中空部に連通する開口部を有する受台と、で構成した請求項３の基礎型枠構造。
【発明の詳細な説明】
【０００１】
【発明の属する技術分野】
本発明は、建物の基礎を構築するための基礎型枠構造、特に基礎ばり天端を基準の高さに合わせて正確に構築することができる基礎型枠構造に関するものである。
【０００２】
【従来の技術】
基礎を構築するに当たっては、基礎ばり天端の高さを正確に構築することは極めて重要である。この基礎ばり天端の高さ調節を、簡単かつ正確に行なおうとする技術が数多く開示されている。
【０００３】
特許文献１では、「基礎天端のレベル出しをスムーズに行い、レベル精度を確実に出すことによって容易に基礎天端を平らに均すことのできる基礎施工方法を提供すること」を課題として、「基礎型枠にコンクリートを打設し、打設したコンクリート天端から所定の高さとなるように基礎天端高さを設定し、次いで、コンクリート天端に複数のせき止め用板を所定間隔で設置し、隣り合うせき止め用板で区画されたせき止め区画にセルフレベリング材をコンクリート天端から基礎天端高さまで打設する基礎施工方法」が開示されている。
【０００４】
また、特許文献２では、「住宅等建物基礎の水平出し工法の正確な精度と省力化とコストの低減化及びその水平出し調整装具の改良」を課題として、「上面を水平に形成した長方形の水平板と、その一側を直角方向に垂設した取付板とよりなる略逆Ｌ形金属製の水平出し調整具を、型枠に設定した建物基礎のレベルラインに整合して、前記水平出し調整具の取付板に磁着した仮止用磁性体を介して、前記水平出し調整具を対設した型枠にそれぞれ仮止し、更に仮止した水平出し調整具の取付板間に強質弾性の突張り固定具を緊張固定し、次いで水平出し調整具の水平板を上面とするコンクリート基礎を型枠内に水平に打設し、コンクリート基礎の固結後、型枠及び仮止め用磁性体を取り外すように設けてなる住宅建物に於ける基礎天端の水平出し工法」及び「上面を水平に形成した長方形の水平板及び、その一側を直角方向に垂設した取付板とで構成した略逆Ｌ形の金属製の水平出し調整具と、前記調整具の取付板の外側止着部に磁着する仮止用磁性体と、型枠に仮止磁着した水平出し調整具間に緊張固定する突張り固定具とよりなり、突張り固定具は強質弾性の金属線、帯状金属板、もしくは強質弾性の合成樹脂材よりなる住宅等建物に於ける基礎天端の水平出し調整装具」が開示されている。
【０００５】
しかし、特許文献１の方法では、コンクリート天端にセルフレベリング材を打設して基礎ばり天端高さを設定する際に、これに先立って、コンクリート天端をその長さ方向に沿って所定長さの多数のせき止め区画に区分する必要があり、そのために多数のせき止め用板を区画の間隔で設置すると言うなかなか厄介な作業を実行する必要がある。
【０００６】
またこの方法では、各せき止め区画毎にセルフレベリング材を流し込んだ後、これが硬化する前に隣接する区画間のせき止め用板を順次取外し、抜き取り後に生じる凹部であるつなぎ部分を均す必要があり、これは数も多く時間との競争ともなり厄介な作業であると言わざるを得ない。
【０００７】
次に、特許文献２の調整装具及びこれを用いた方法では、その複雑な形状の調整装具を型枠内面にレベルを調整しつつ設置する必要があるが、これはかなり厄介な作業である。またその調整装具は磁性体の磁力により鉄系金属の型枠に固着させるものであるため、コンクリートの打設の際に動いてしまう可能性が高く、これを固定するための突っ張り固定具が配されるものではあるが、これによる固定の実効性がどれほどのものか疑問がある。更にこのような調整装具は、コンクリートの打設に邪魔になり、特にその下方にコンクリートを密に充填するのは容易でないように思われる。
【０００８】
【特許文献１】
特開２００２−３３９３７５号公報
【特許文献２】
特開平９−４１６７１号公報
【０００９】
【発明が解決しようとする課題】
本発明は、以上のような従来技術の基礎の構築方法又は装置に関する問題点を解決し、建物の基礎、特に基礎ばりの天端レベルを正確に保持しつつ、短時間にかつ低コストで構築することができる基礎型枠構造を提供することを解決の課題とするものである。
【００１０】
【課題を解決するための手段】
本発明の１は、一対の型枠パネルを基礎スラブから基礎ばり予定部の両側に立ち上げて構成する型枠であって、両型枠パネルの天端を基礎ばり天端レベルとしてコンクリートの打設を行うことができる型枠と、
該型枠の両型枠パネル間の間隔を上記基礎ばり予定部の間隔に保持する間隔保持構造であって、該両型枠パネルの上部途中に構成する間隔保持構造と、
前記型枠の両型枠パネルの下部を各々前記基礎ばり予定部の間隔に保持する下部支持構造であって、該両型枠パネルを各々昇降調節自在に支持する下部支持構造と、で構成した基礎型枠構造である。
【００１１】
即ち、本発明の基礎型枠構造は、基本的に、一対の型枠パネルからなる型枠と、その型枠パネル間の上部の間隔を前記所定の間隔に保持する間隔保持構造と、型枠パネル間の下部の間隔を該所定の間隔で保持し、かつ該型枠パネルの高さを昇降調節自在に支持する下部支持構造とで構成したものである。
【００１２】
前記型枠は、一対の型枠パネルから構成され、該型枠パネルは、基礎スラブから基礎ばり予定部の両側にその間隔で立ち上げて構成される。型枠パネルは、打設したコンクリートを支えることが可能なだけの厚さを有する合板又は鉄板等で構成する板状部材であり、これ自体は、従来の一般的なせき板用の部材から適宜選択して採用することが出来る。この型枠パネルの高さは、予定している基礎ばりの高さよりその高さの調整代を考慮して若干短寸に構成する。両型枠パネルを昇降調整して、その天端を基礎ばりの天端レベルとするためである。長さは従来のそれと同様である。なお型枠パネルの高さ方向の寸法不足分は、その下部に於いて、前記下部支持構造で補う。例えば、後述するように、その根巻き補助部材でカバーする。
【００１３】
前記間隔保持構造は、前記一対の型枠パネル間の間隔を、前記基礎ばり予定部の間隔に保持するために配するものである。このような間隔保持構造は、前記のように、前記型枠パネルの上部途中に構成するものである。なるべく型枠パネルの天端に近い部位で、しかし天端よりは下方に構成する。型枠パネルをその天端より上方で両型枠パネル間を跨るようにして構成すると、コンクリート天端上に均しコンクリート又は均しモルタルを打設し、かつこれを均す際に邪魔になり、正確かつスムーズなその作業に支障を来す虞があるからである。
【００１４】
そのため前記間隔保持構造は、以上のように、型枠パネルの間隔を所定の間隔に保持できる構造のそれであり、かつ型枠の天端より下方で、なるべく上方に配置し得るものであれば、特定の構成のそれに限定されない。
【００１５】
前記下部支持構造は、前記のように、前記型枠の両型枠パネルをその下部で各々前記基礎ばり予定部の間隔で支持し、かつ同時に該型枠パネルを各々昇降調節自在に支持するものである。本発明では、型枠の天端を基礎ばりの天端レベルとして設定するものであり、上記昇降調節自在な支持はその実現のための構成である。
【００１６】
そのため前記下部支持構造は、以上のような機能を実現できるものであれば、特定の構成に限定されない。
【００１７】
従って本発明の１の基礎型枠構造によれば、建物の基礎を構築するには、まず基礎スラブを打設し、その上の基礎ばり予定部に沿って前記下部支持構造を配し、これにより型枠の両型枠パネルを、上記基礎ばり予定部の幅で、かつ高さ調整自在に支持する。
【００１８】
前記型枠パネルの上部途中には前記間隔保持構造を配し、該両型枠パネルの内幅を前記基礎ばり予定部の幅に調整しつつこれを保持する。該間隔保持構造は、前記のように、下部支持構造に両型枠パネルを設置した後にこれを取り付けることとしても、または予め該両型枠パネルに取り付けた上で、該下部支持構造に取り付けることとしても良い。
【００１９】
前記下部支持構造による型枠の高さ調整は、以上のように、両型枠パネルを下部支持構造及び間隔保持構造により基礎ばり予定部の幅で設置した後に、例えば、レベルその他の計測機器を用いて行う。この高さの調整は、型枠の天端を予定されている基礎ばりの天端レベルと一致するように設定する。
【００２０】
全ての型枠パネルの設置及び高さ調節が済んだ後、コンクリートを型枠パネルの天端から若干下方の位置、例えば、１５ｍｍ程下方の位置まで打設し、僅かに硬化が開始した段階で、該コンクリート天端上に均しコンクリート又は均しモルタルを打設する。これらの均しコンクリート等は型枠の天端に合わせて打設する。次いで、すぐにその均しコンクリート等の均し作業を行う。この均し作業は、従来のこの種の作業を行う場合の一般的な用具、例えば、木こて又は金こて等を用いて自由に行うことが出来る。
【００２１】
このとき、前記のように、均しコンクリート等の上面は両型枠パネルの天端に合わせて打設し、かつ均し作業を行うものであり、他方、前記間隔保持構造は該両型枠パネルの上部途中でその間隔を適切に保持するものであり、その天端以上の部位に突出する構成要素を持たないものである。そのため前記均しコンクリート等の両型枠間のコンクリート天端への打設作業及びその均しコンクリート等の均し作業が何ものにも邪魔されずに容易かつ正確に行い得られるものである。
【００２２】
更に、先に述べたように、予定されている基礎ばり天端のレベルに型枠の天端を一致させるものとしたため、型枠天端に合わせるべく行う均しコンクリート等の上面の均し作業は、型枠パネルの内側を覗き込んで行う既存の方法又は器具等を用いて行うものに比して、極めて容易に、かつ正確にこれを行うことが出来るものでもある。
【００２３】
従って、本発明の１の基礎型枠構造によれば、天端レベルを精度高く構成した建物の基礎ばりを短時間にかつ低コストで構築することができることとなる。
【００２４】
本発明の２は、本発明の１の基礎型枠構造に於いて、前記間隔保持構造を、前記両型枠パネルの内側に当接状態に配した二つのＰコンと、該両Ｐコンをその両端で螺合させつつ該両型枠パネルに貫通突出させてその間隔を内側から規制するセパレータと、前記両型枠パネルの外側面で各々該セパレータの外端に配して前記両型枠パネルを内側に押し付け、その間隔を外側から規制する外部規制部材とで構成したものである。
【００２５】
前記間隔保持構造は、二つのＰコンと、一本のセパレータと、外部規制部材とで構成することが可能であり、両型枠パネルの上部途中に配して、該両型枠パネルの間隔を、前記のように、基礎ばり予定部の幅に、容易に設定することが出来る。
【００２６】
前記Ｐコンは、周知のテーパ状プラスチック部材であり、二つのそれを前記セパレータの両側の雄ねじに螺合貫通させ、各々の外端を両型枠パネルの内面に当接させ、これによって該両型枠パネルの間隔を内側から規制すべく使用する。両Ｐコンの外端間を前記基礎ばり予定部の幅に一致するように調節しておけば、該両型枠パネルの間隔を容易かつ正確にその間隔に一致させることが出来る。
【００２７】
前記セパレータは、周知の金属製ボルト部材であり、その全長に渡って又は両側の必要な範囲に雄ねじが形成されている。両側の雄ねじには、前記のように、Ｐコンを螺合して使用する。前記したように、その両端は、両型枠パネルの各々に、その上部途中に開口してあるボルト孔を通じて貫通させて使用する。このとき、先に述べたように、該セパレータの両側に螺合固定してある両Ｐコンの外端が両型枠パネルの内面に当接することとなるものである。
【００２８】
前記外部規制部材は、前記したように、前記セパレータの両外端に配して、両型枠パネルを外側から各々内側に押し付けるように働いて、該両型枠パネルの間隔を外側から規制するものであり、前記セパレータと二つのＰコンによる内側からの規制と相まって、該両型枠パネルの間隔を前記所定の間隔に確実に保持することが出来ることとなる。
【００２９】
該外部規制部材としては、該セパレータの両外端に配して以上のような作用を果たすことが出来るものである限り、自由な構成を採用することが出来る。例えば、前記セパレータの外端に螺合するフォームタイと、これに取り付けた当て板と、型枠パネルの上側部に平行に固設され、該当て板で抑えられる横ばた部材とを基本とする周知の構成を採用することが出来る。
【００３０】
従って本発明の２の基礎型枠構造によれば、簡単な操作で、両型枠間の間隔を前記基礎ばり予定部の間隔に容易かつ正確に設定することが可能であり、かつこの間隔をコンクリートの打設等によって大きな負荷が掛かるような際にも問題なく維持することが出来る。更にその構成要素のいずれの部分も型枠天端より下方に位置するものであるため、均しコンクリート等の両型枠間への打設作業及びその均し作業が何ものにも邪魔されずに容易かつ正確に行い得られるものである。
【００３１】
本発明の３は、本発明の１又は２の基礎型枠構造に於いて、前記下部支持構造を、前記基礎スラブ上に前記基礎ばり予定部の間隔及び両側の型枠パネルの厚さを合算した間隔で固設した両側の根巻き補助部材と、該両根巻き補助部材から立ち上げた昇降調節機構と、該昇降調節機構の受台で支持される木製載置片であって、前記型枠パネルの外側下部に固定された木製載置片とで構成したものである。
【００３２】
前記下部支持構造は、型枠パネルの間隔を規制すると共に、型枠全体のベース部材となる根巻き補助部材と、型枠パネルを受台で昇降調節自在に支持する昇降調節機構と、該型枠パネルを該受台で支持させるための木製載置片とから構成されるものである。
【００３３】
前記根巻き補助部材は、断面四辺形の木製長尺部材で構成するのが適当であり、先に述べたように、前記基礎スラブ上に前記基礎ばり予定部の間隔及び両側の前記型枠パネルの厚さを合算した間隔で固設するものである。この根巻き補助部材はコンクリート釘等の既存の周知の手段によって前記基礎スラブ上に容易に固設することが出来る。
【００３４】
前記昇降調節機構は、前記根巻き補助部材から立ち上げ、その上部の受台の高さを昇降調節し、これを通じて前記型枠パネルの天端の高さを調節することが出来るものであれば、その構成は特定のそれに限定されない。
【００３５】
前記木製載置片は、一方で前記昇降調節機構の受台で支持され、他方で前記型枠パネルの外側下部に固定されるものである。前記根巻き補助部材と同じ断面四辺形の木製長尺部材で構成することができる。前記型枠パネルへの固定はビス等によって行うことが出来る。
【００３６】
従って、本発明の３の基礎型枠構造によれば、両型枠パネルの下部間の間隔を容易に前記所定の間隔に設定することが可能であり、かつ該両型枠パネルの天端の高さを容易にかつ正確に調節することが可能になる。
【００３７】
本発明の４は、本発明の３の基礎型枠構造に於いて、前記昇降調節機構を、前記根巻き補助部材に固設する台座と、該台座にこれに開口したビス通過穴を中心にして立ち上げ固設したナット部材と、該ナット部材に昇降調節自在に螺合する中空ボルト部材と、該中空ボルト部材の上端に固設した受台であって、該中空ボルトの中空部に連通する開口部を有する受台とで構成したものである。
【００３８】
前記台座は、前記根巻き補助部材に適切に固定しうる板状部材を自由に採用することが出来る。例えば、中央にビス通過穴を開口した水平板部とその外縁から直角に折曲した固定片とで構成することができる。該固定片にはビス穴を開口しておくものとする。なお水平板部のビス通過穴及び固定片のビス穴は、いずれもビス通過穴又はビス穴と称しているが、この開口部はビスに限らず釘等の固定手段を貫通させる場合も含むものとする。なおこのように構成した台座は、その水平板部を前記根巻き補助部材の上面に載置し、かつ固定片を該根巻き補助部材の側面に当接させ、更に該固定片のビス穴からビス又は釘等を該根巻き補助部材にねじ込み又は打ち込んで該台座を該根巻き補助部材に固定する。
【００３９】
前記ナット部材は、先に述べたように、前記台座に、そのビス通過穴を中心に立ち上げるものであり、台座を、前記のように構成した場合は、その水平板部に、ビス通過穴を中心にして立ち上げる。該ナット部材の下端と台座の水平板部とは溶接によって固定することが出来る。
【００４０】
前記中空ボルト部材は、前記のように、前記ナット部材に螺合する。該中空ボルト部材は、文字通り、中空の筒状部材であり、その外周に雄ねじが形成してある部材である。その上端には、先に述べたように、その中空部に連通する開口部を備えた受台が固設してある。これも中空ボルト部材の上端に溶接等によって固設することが出来る。該中空ボルト部材の長さ、直径、材質などは適宜決めることが出来る。該受台は前記型枠パネルの外側面に固設した木製載置片をこれに載置するための部材であり、これが可能な程度のサイズの板材であれば不都合はない。もっともこの受台は、前記中空ボルト部材を回転してナット部材との螺合状態を変更する際に、同時に回転せざるを得ない関係上、円板状に構成しておくのが好ましい。
【００４１】
なお、前記受台と前記木製載置片との間には、必要に応じて、該受台の開口部と同程度の開口部を持ったスペーサを挟んで、高さの補助調節をすることも可能となっている。即ち、前記中空ボルト部材と前記ナット部材の螺合調節による最大ストロークを以ってしても、前記型枠パネルの天端を必要な高さまで上昇させることが出来なかったような例外的な場合には、前記のように、該スペーサを挟んで高さを補正することも出来る。
【００４２】
従って、本発明の４の基礎型枠構造によれば、型枠パネルの天端の高さ調節を容易に行うことが出来る。また調節した後は、前記木製載置片の上からビスをねじ込み又は釘を打ち込んで、前記受台の開口部、中空ボルト中空部、ナット部材及び台座のビス通過穴を通じて前記根巻き補助部材まで延長し、これにねじ込み又は打ち込んで、両型枠パネルを木製載置片及びこの昇降調節機構を介して前記根巻き補助部材に固定することが出来る。
【００４３】
【発明の実施の形態】
以下、発明の実施の形態を実施例に基づき、かつ添付図を参照しつつ詳細に説明する。
【００４４】
＜実施例＞
この実施例の基礎型枠構造は、図１に示すように、一対の型枠パネル１ａ、１ａからなる型枠１と、該型枠１の両型枠パネル１ａ、１ａの間隔を基礎ばり予定部の間隔に保持すべく、その上部途中に構成する間隔保持構造２と、前記型枠１の両型枠パネル１ａ、１ａの下部を前記基礎ばり予定部の間隔で各々昇降調節自在に支持する下部支持構造４、４とで構成するものである。
【００４５】
前記型枠１は、先に述べ、かつ図１に示すように、一対の型枠パネル１ａ、１ａで構成され、基礎スラブ６から基礎ばり予定部の両側にその間隔で立ち上げ構成されるものである。該型枠パネル１ａ、１ａとしては、この実施例では各々打設するコンクリートを支え得る厚さの合板を採用した。勿論両型枠パネル１ａ、１ａは金属パネルでも差し支えない。両型枠パネル１ａ、１ａの天端を構築予定の基礎ばり天端のレベルとする。
【００４６】
前記間隔保持構造２は、図１に示すように、二つのＰコン２ａ１、２ａ１と、その各々を両側の雄ねじに螺合した一本のセパレータ２ａ２とからなる内側規制部２と、セパレータ２ａ２の両外端に各々螺合するフォームタイ３ａと、該各フォームタイ３ａにその中央穴部を貫通させた当て板３ｂと、該各当て板３ｂの型枠パネル１ａ側への押圧力を調節すべくフォームタイ３ａの外端側の雄ねじ３ｃに螺合した締付ナット３ｄと、各型枠パネル１ａの上側部に平行に固設され、前記当て板３ｂの両端の各々により抑えられる横ばた部材３ｅ、３ｅとからなる外部規制部３とで構成したものである。
【００４７】
なお横ばた部材３ｅ、３ｅは、型枠パネル１ａ上側部に、前記セパレータ２ａ２貫通用のボルト穴を中心にして上下等距離の位置関係で平行に配する。その型枠パネル１ａ、１ａへの固定は、その内側からビス３ｆをねじ込んで行っているものである。
【００４８】
そのため、この間隔保持構造によれば、図１に示すように、簡単にかつ確実に型枠パネル１ａ、１ａの間隔を基礎ばり予定部の間隔に調節して固定することが出来る。
【００４９】
図１に示すように、まずセパレータ２ａ２の両側途中にＰコン２ａ１、２ａ１を螺合させ、次いでそのセパレータ２ａ２の両端を型枠パネル１ａ、１ａの上部途中に開口してあるボルト穴に貫通させる。Ｐコン２ａ１、２ａ１の螺合状態を調節することで、その外端間の距離を前記基礎ばり予定部の間隔に一致させ、両側の型枠パネル１ａ、１ａの内面を該Ｐコン２ａ１、２ａ１の外端に当接させれば、該型枠パネル１ａ、１ａ間は云うまでもなく、基礎ばり予定部の間隔となる。こうして内部規制部２ａによる規制ができあがる。
【００５０】
型枠パネル１ａ、１ａの外側では、図１に示すように、突出しているセパレータ２ａ２の外端の雄ねじにフォームタイ３ａの内端を螺合して延長状態とし、これをその中央穴部で貫通させた当て板３ｂの両端をそれぞれ該型枠パネル１ａの外側面に平行に固設してある横ばた部材３ｅ、３ｅに圧接させ、前記締付ナット３ｄを締め付けてその圧接状態を固定する。こうして外部規制部３による規制ができあがるわけである。
【００５１】
型枠パネル１ａ、１ａは内側と外側とからこのように規制されることで、その内幅を前記基礎ばり予定部の間隔に確実に保持されることとなるものである。
【００５２】
前記型枠パネル１ａ、１ａのそれぞれの下部に構成する下部支持構造４は、図１及び図２に示すように、該型枠パネル１ａ、１ａ間の間隔を規制すると共に、型枠１全体のベース部材となる根巻き補助部材４ａと、型枠パネル１ａを受台４ｂ１で昇降調節自在に支持する昇降調節機構４ｂと、該型枠パネル１ａを該受台４ｂ１で支持させるための木製載置片４ｃとで構成したものである。
【００５３】
前記根巻き補助部材４ａは、図１〜図３に示すように、断面四辺形の木製長尺部材で構成したものであり、前記基礎スラブ６上に前記基礎ばり予定部の間隔及び両側の型枠パネル１ａ、１ａの厚さを合算した間隔で固設するものである。この根巻き補助部材４ａは、図３に示すように、コンクリート釘４ａ１によって該基礎スラブ６上に固設する。
【００５４】
前記昇降調節機構４ｂは、図１〜図３に示すように、前記根巻き補助部材４ａに固設する台座４ｂ２と、該台座４ｂ２の水平板部４ｂ２１にこれに開口したビス通過穴を中心に立ち上げたナット部材４ｂ３と、該ナット部材４ｂ３に昇降調節自在に螺合する中空ボルト部材４ｂ４と、該中空ボルト部材４ｂ４の上端に固設した受台４ｂ１とで構成したものである。
【００５５】
前記台座４ｂ２は、図１〜図３に示すように、前記根巻き補助部材４ａの上面に載置状態となる水平板部４ｂ２１と、該根巻き補助部材４ａの外縁に沿って直角に折曲した固定片４ｂ２２とで構成する。上記水平板部４ｂ２１は、その中央部にビス又は釘等の固定手段通過用の穴を開口させ、かつ上記固定片４ｂ２２には、同様に、その中央部に、この台座４ｂ２自体を該根巻き補助部材４ａに固定するためのビス又は釘用の穴を開口させる。
【００５６】
前記ナット部材４ｂ３は、図１〜図３に示すように、前記台座４ｂ２の水平板部４ｂ２１に、その固定手段通過用の穴を中心に立ち上げ、この状態を溶接によって固定する。
【００５７】
前記中空ボルト部材４ｂ４は、図１〜図３に示すように、前記ナット部材４ｂ３に螺合する。該中空ボルト部材４ｂ４は、文字通り、中空の筒状部材であり、かつその外周に雄ねじが形成してある。その上端には、先に述べたように、受台４ｂ１が固設してある。該受台４ｂ１は、該中空ボルト部材４ｂ４の中空部に連通する開口部を備えた円板部材であり、その下面の該当部位が溶接によって該中空ボルト４ｂ４に固設している。
【００５８】
前記木製載置片４ｃは、図１〜図３に示すように、型枠パネル１ａ、１ａの下部途中に配した断面四辺形の木製長尺部材である。その型枠パネル１ａ、１ａとの固定はビス４ｃ１によって行っている。該木製載置片４ｃは、前記昇降調節機構４ｂの受台４ｂ１上に載置され、これによって支持されるものである。後述するように、型枠パネル１ａ、１ａの高さの調節が完了した後は、該木製載置片４ｃの上面からビス５をねじ込み又は釘を打ち込んで、これを前記根巻き補助部材４ａに固定する如くに使用するものである。
【００５９】
従って、この実施例の基礎型枠構造によれば、建物の基礎を構築するには、一般のそれと同様に、まず一般の技法によって基礎スラブ６を構築し、その上に組上げた鉄筋が突出している基礎ばり予定部に沿って前記下部支持構造４、４を配し、これによって型枠１の両型枠パネル１ａ、１ａを該基礎ばり予定部の幅でかつ高さ調整自在に支持する。
【００６０】
該下部支持構造４、４の根巻き補助部材４ａ、４ａは、先に説明したように、基礎スラブ６上の前記所定の位置に位置決めし、かつコンクリート釘４ａ１によって固定し、昇降調節機構４ｂの台座４ｂ２は、同様に先に説明したように、その水平板部４ｂ２１を該根巻き補助部材４ａ、４ａの上に載せ、側部に接しているその固定片４ｂ２２の中央の穴を通じて釘４ｂ２２１を打ち込んでこれを固定し、更にその後、各根巻き補助部材４ａ、４ａの内側に各々型枠パネル１ａ、１ａを配すると共に、それらの外側下部途中の木製載置片４ｃを、図１に示すように、それぞれ前記昇降調節機構４ｂの受台４ｂ１上に載置状態とする。
【００６１】
次いで、両型枠パネル１ａ、１ａの上部途中には、図１に示すように、前記間隔保持構造２を配し、該両型枠パネル１ａ、１ａの内幅を前記基礎ばり予定部の幅に調整しつつこれを保持する。
【００６２】
この場合の該間隔保持構造２の二つのＰコン２ａ１、２ａ１と、その各々を両側の雄ねじに螺合した一本のセパレータ２ａ２とからなる内側規制部２の型枠パネル１ａ、１ａへの取付手順、及びフォームタイ３ａと、該各フォームタイ３ａにその中央穴部を貫通させた当て板３ｂと、該各当て板３ｂの型枠パネル１ａ側への押圧力を調節する締付ナット３ｄ等とからなる外部規制部３の型枠パネル１ａ、１ａへの取付手順等は先に述べた通りである。
【００６３】
以上に於いて、型枠パネル１ａ、１ａの間隔は、その下部では各下端外面が前記根巻き補助部材４ａ、４ａの内面に接する位置に配されていることで所定の間隔に保持され、その上部では、前記したように、前記間隔保持構造２の内部規制部２ａに於けるＰコン２ａ１、２ａ１の外端間の距離を基礎ばり予定部の間隔に合わせるように、セパレータ２ａ２との螺合状態を調節し、外部規制部３に於ける締付ナット３ｄを必要なだけ締め付けて当て板３ｂの横ばた部材３ｅ、３ｅに加わる押圧力を適正に設定すると、内外両側から位置決めされ、該型枠パネル１ａ、１ａの間隔は所定の間隔に保持されることになる。これらも、既に述べた通りである。
【００６４】
この後、前記下部支持構造４の昇降調節機構４ｂによって型枠１の高さ調整を行う。これは、レベルその他の計測機器を用いて行う。この高さの調整は、型枠１の天端を予定されている基礎ばりの天端レベルと一致するように設定する。
【００６５】
この高さ調節は、前記昇降調節機構４ｂの中空ボルト部材４ｂ４を回転させ、ナット部材４ｂ３との螺合状態を調節することにより行う。これによって中空ボルト部材４ｂ４が昇降し、その受台４ｂ１上に載置した木製載置片４ｃを介して支持する型枠パネル１ａ、１ａを昇降させるものである。なおこの昇降操作にともなって受台４ｂ１が回転するが、上記のように、木製載置片４ｃは、これに載っているだけなので問題はない。所定の高さになったことが、先に述べたように、レベル等の機器で設定した基準によって確認されれば、高さの調節は終了である。
【００６６】
この後、図１〜図３に示すように、前記目木製載置片４ｃの上から前記受台４ｂ１、中空ボルト部材４ｂ４、ナット部材４ｂ３及び台座４ｂ２の水平板部４ｂ２１の各々の中空部又は穴を通じて根巻き補助部材４ａにビス５をねじ込み、型枠パネル１ａ、１ａをそれぞれ該当する根巻き補助部材４ａに固定する。
【００６７】
こうして全ての型枠パネル１ａ、１ａ…の設置及び高さ調節が済んだ後、コンクリートを型枠パネル１ａ、１ａの天端から若干下方の位置まで、例えば、１５ｍｍ程度下方の位置まで打設し、僅かに硬化が開始した段階で、そのコンクリートの天端７上に均しモルタル８を打設する。この均しモルタル８は型枠パネル１ａ、１ａの天端に合わせて打設する。次いで、すぐにその均しモルタル８の均し作業を行う。この均し作業は、従来のこの種の作業を行う場合の一般的な用具、例えば、木こて又は金こて、或いはトンボ等を用いて自由に行うことが出来る。
【００６８】
このとき、前記のように、均しモルタル８の上面は両型枠パネル１ａ、１ａの天端に合わせて打設し、かつ均し作業を行うものであり、他方、該両型枠パネル１ａ、１ａの間隔を適切に保持する間隔保持構造２はその天端以上の部位に突出する構成要素を持たないため、前記均しモルタル８の両型枠パネル１ａ、１ａ間のコンクリートの天端７上への打設作業及びその均しモルタル８の均し作業のいずれもが何ものにも邪魔されずに容易かつ正確に行うことが出来るものである。
【００６９】
更に、構築予定の基礎ばり天端のレベルに型枠パネル１ａ、１ａの天端を一致させたものであるため、その天端に合わせるべく行う均しコンクリート等の上面の均し作業は、型枠パネルの内側を覗き込んで行う既存の方法又は器具等を用いて行うものに比して、極めて容易に、かつ正確にこれを行うことが出来るものでもある。
【００７０】
従って、この実施例の基礎型枠構造によれば、天端レベルを精度高く構成した建物の基礎ばりを短時間にかつ低コストで構築することができることとなる。
【００７１】
【発明の効果】
本発明の１の基礎型枠構造によれば、型枠パネルの上部の間隔を所定のそれに保持する間隔保持構造が、該型枠パネルの上部途中に構成してあるため、型枠パネル間へのコンクリートの打設後に行われる、均しモルタルの打設作業及びこれに引き続くその均し作業に障害となるものが一切ない。そのためこれを精度高くかつ短時間で行なうことが可能となる。また構築予定の基礎ばりの天端レベルを型枠パネルの天端に一致させるものとしたため、天端レベルが分かりやすく、極めて作業がやりやすくかつ正確にも出来るものである。
【００７２】
本発明の２の基礎型枠構造によれば、型枠パネルの上部の間隔を所定のそれに保持する間隔保持構造が、該型枠の天端より上方に突出する構成要素を一切持たないものであるため、コンクリートの打設後に行われる、均しモルタルの打設作業及びこれに引き続くその均し作業を精度高くかつ短時間で行なうことが可能となる。
【００７３】
本発明の３の基礎型枠構造によれば、型枠パネルの下部に置ける間隔の設定及び型枠パネルの天端の高さ調節を容易にかつ低コストで行なうことが可能となるものである。
【００７４】
本発明の４の基礎型枠構造によれば、型枠パネルの天端の高さ調節を容易にかつ低コストで行なうことが可能となるものである。
【図面の簡単な説明】
【図１】基礎型枠構造の概略断面図。
【図２】基礎型枠構造の一方の型枠パネルの下部支持構造の部分を示す拡大断面図。
【図３】基礎型枠構造の一方の型枠パネルの下部支持構造の部分を示す側面図。
【符号の説明】
１    型枠
１ａ  型枠パネル
２    間隔保持構造
２ａ  内部規制部
２ａ１  Ｐコン
２ａ２  セパレータ
３    外部規制部
３ａ  フォームタイ
３ｂ  当て板
３ｃ  雄ねじ
３ｄ  締付ナット
３ｅ  横ばた部材
３ｆ  ビス
４    下部支持構造
４ａ  根巻き補助部材
４ａ１  コンクリート釘
４ｂ  昇降調節機構
４ｂ１  受台
４ｂ２  台座
４ｂ２１  水平板部
４ｂ２２  固定片
４ｂ２２１  釘
４ｂ３  ナット部材
４ｂ４  中空ボルト部材
４ｃ  木製載置片
４ｃ１  ビス
５    ビス
６    基礎スラブ
７    コンクリートの天端
８    均しモルタル
【図１】
2004316135.tif 000003
【図２】
2004316135.tif 000004
【図３】
2004316135.tif 000005